(57)【要約】【課題】自分の好みの音質が得られるように、使用者自身が支柱の種類を選択し、容易に交換できるスピーカ台を提供する。【解決手段】上面にスピーカが設置されるパーツである天板部材１２と、上端部１４ａで天板部材１２の下面側を支持するパーツである支柱部材１４と、上面側で支柱部材１４の下端部１４ｂを支持するパーツである底板部材１６とを備える。支柱部材１４及び天板部材１２には、支柱部材１４の上端部１４ａを天板部材１２の下面側に着脱可能に取り付けるための天板側取り付け機構ＴＫが設けられる。支柱部材１４及び底板部材１６には、支柱部材１４の下端部１４ｂを底板部材１６の上面側に着脱可能に取り付けるための底板側取り付け機構ＳＫが設けられる。支柱部材１４として、振動に対する弾性又は振動減衰性が異なる複数種類が用意され、使用者自身が好みに合わせて選択し、交換することができる。【選択図】図１
2020065128.tif 000002
【特許請求の範囲】
【請求項１】
上面にスピーカが設置されるパーツである天板部材と、上端部で前記天板部材の下面側を支持するパーツである支柱部材と、上面側で前記支柱部材の下端部を支持するパーツである底板部材とを備え、
前記支柱部材及び前記天板部材に、前記支柱部材の上端部を前記天板部材の下面側に着脱可能に取り付けるための天板側取り付け機構が設けられ、前記支柱部材及び前記底板部材に、前記支柱部材の下端部を前記底板部材の上面側に着脱可能に取り付けるための底板側取り付け機構が設けられ、
前記支柱部材として、振動に対する弾性又は振動減衰性が異なる複数種類が用意され、使用者が、前記複数種類の支柱部材の中から選択した前記支柱部材、前記天板部材及び前記底板部材から組み立て可能であることを特徴とするスピーカ台。
【請求項２】
前記天板側取り付け機構は、前記天板部材を厚み方向に貫通する天板貫通孔と、前記支柱部材の上側の端面に設けられた上ネジ穴とで構成され、ネジを前記天板部材の上面側から前記天板貫通孔に通して前記上ネジ穴に螺合させることによって、前記天板部材と前記支柱部材とを互いに固定することができ、
前記底板側取り付け機構は、前記底板部材を厚み方向に貫通する底板貫通孔と、前記支柱部材の下側の端面に設けられた下ネジ穴とで構成され、ネジを前記底板部材の下面側から前記底板貫通孔に通して前記下ネジ穴に螺合させることによって、前記底板部材と前記支柱部材とを互いに固定することができる請求項１記載のスピーカ台。
【請求項３】
前記天板部材及び前記底板部材の材質はアルミニウムであり、前記支柱部材の材質は、木材、合成樹脂、アルミニウム、ステンレス、又はガラスである請求項１又は２記載のスピーカ台。
【発明の詳細な説明】
【技術分野】
【０００１】
本発明は、天板上にスピーカが設置されて使用されるスピーカ台に関する。
【背景技術】
【０００２】
従来、例えば特許文献１，２に開示されているように、底板に支柱を立設し、この支柱上に天板を取り付けた構造のスピーカ台があった。この種のスピーカ台は、各パーツの振動に対する弾性や振動減衰性によってスピーカの音質が変化することが広く知られている。
【０００３】
特許文献１には、支柱の種類として、木材、金属パイプ、高弾性高強度繊維で樹脂を強化して成る複合材料が例示され、スピーカの音質が各々異なることが記載されている。また、特許文献２には、支柱（脚）の種類として、金属パイプ、金属パイプの中空部に所定の粉粒体等を装入したものが例示され、スピーカの音質が各々異なることが記載されている。
【先行技術文献】
【特許文献】
【０００４】
【特許文献１】特開平２−１４５０９８号公報
【特許文献２】特開平８−２３７７８０号公報
【発明の概要】
【発明が解決しようとする課題】
【０００５】
音質の好みは、使用者によって千差万別である。また、使用される環境が異なると、スピーカ台が同じであっても音質が変化してしまう。したがって、すべての使用者の趣向に合うスピーカ台を設計することは現実的には困難である。そのため、支柱等の材質や構造は、使用者自身が選択し、自由に交換できることが好ましい。しかしながら、特許文献１，２のスピーカ台は、使用者自身が支柱の種類を選択し、交換することはできない。
【０００６】
本発明は、上記背景技術に鑑みて成されたものであり、自分の好みの音質が得られるように、使用者自身が支柱の種類を選択し、容易に交換できるスピーカ台を提供することを目的とする。
【課題を解決するための手段】
【０００７】
本発明は、上面にスピーカが設置されるパーツである天板部材と、上端部で前記天板部材の下面側を支持するパーツである支柱部材と、上面側で前記支柱部材の下端部を支持するパーツである底板部材とを備え、
前記支柱部材及び前記天板部材に、前記支柱部材の上端部を前記天板部材の下面側に着脱可能に取り付けるための天板側取り付け機構が設けられ、前記支柱部材及び前記底板部材に、前記支柱部材の下端部を前記底板部材の上面側に着脱可能に取り付けるための底板側取り付け機構が設けられ、
前記支柱部材として、振動に対する弾性又は振動減衰性が異なる複数種類が用意され、使用者が、前記複数種類の支柱部材の中から選択した前記支柱部材、前記天板部材及び前記底板部材から組み立て可能なスピーカ台である。
【０００８】
前記天板側取り付け機構は、前記天板部材を厚み方向に貫通する天板貫通孔と、前記支柱部材の上側の端面に設けられた上ネジ穴とで構成され、ネジを前記天板部材の上面側から前記天板貫通孔に通して前記上ネジ穴に螺合させることによって、前記天板部材と前記支柱部材とを互いに固定することができ、
前記底板側取り付け機構は、前記底板部材を厚み方向に貫通する底板貫通孔と、前記支柱部材の下側の端面に設けられた下ネジ穴とで構成され、ネジを前記底板部材の下面側から前記底板貫通孔に通して前記下ネジ穴に螺合させることによって、前記底板部材と前記支柱部材とを互いに固定することができる構成である。
【０００９】
前記天板部材及び前記底板部材の材質はアルミニウムであり、前記支柱部材の材質は、木材、合成樹脂、アルミニウム、ステンレス又はガラスであることが好ましい。
【発明の効果】
【００１０】
本発明のスピーカ台によれば、支柱部材として、振動に対する弾性又は振動減衰性が異なる複数種類が用意され、自分の好みの音質が得られるように、使用者自身が支柱部材の種類を選択し、容易に交換することができる。
【図面の簡単な説明】
【００１１】
【図１】本発明のスピーカ台の一実施形態の分解斜視図である。
【図２】この実施形態のスピーカ台が有する天板側取り付け機構を示す拡大断面図（ａ）、底板側取り付け機構を示す拡大断面図（ｂ）である。
【図３】この実施形態のスピーカ台の組み立て状態を示す斜視図である。
【発明を実施するための形態】
【００１２】
以下、本発明のスピーカ台の一実施形態について、図面に基づいて説明する。この実施形態のスピーカ台１０は、図１に示すように、上面にスピーカが設置されるパーツである天板部材１２と、上端部１４ａで天板部材１２の下面側を支持するパーツである複数の支柱部材１４と、上面側で支柱部材１４の下端部１４ｂを支持するパーツである底板部材１６とで構成される。
【００１３】
天板部材１２及び底板部材１６は、アルミニウム製の板材であり、外形が略正方形で、中央部に透孔１２ａ，１２ｂが形成されている。
【００１４】
複数の支柱部材１４は、外形が同一の棒状の部材であり、振動に対する弾性又は振動減衰性が異なる複数種類が用意されている。例えば、木製の支柱部材１４(1)が６本、合成樹脂製の支柱部材１４(2)が６本、アルミニウム製の支柱部材１４(3)が６本である。その他、ステンレスやガラスで成る支柱部材を用意してもよいし、特許文献１，２に記載されているように複数の材料を複合させた特殊構造の支柱部材を用意してもよい。
【００１５】
支柱部材１４及び天板部材１２には、支柱部材１４の上端部１４ａを天板部材１２の下面側に着脱可能に取り付けるための天板側取り付け機構ＴＫが設けられている。天板側取り付け機構ＴＫは、図２（ａ）に示すように、天板部材１２を厚み方向に貫通する天板貫通孔１８と、支柱部材１４の上側の端面に設けられた上ネジ穴２０とで構成され、ネジ２２を天板部材１２の上面側から天板貫通孔１８に通して上ネジ穴２０に螺合させることによって、天板部材１２と支柱部材１４とを互いに固定することができる。ネジ２２の頭は、天板貫通孔１８の途中に設けられた段部に入り込み、天板部材１２の上面から突出しない。
【００１６】
支柱部材１４及び底板部材１６には、支柱部材１４の下端部１４ｂを底板部材１６の上面に着脱可能に取り付けるための底板側取り付け機構ＳＫが設けられている。底板側取り付け機構ＳＫは、図２（ｂ）に示すように、底板部材１６を厚み方向に貫通する底板貫通孔２４と、支柱部材１４の下側の端面に設けられた下ネジ穴２６とで構成され、ネジ２８を底板部材１６の下面側から底板貫通孔２４に通して下ネジ穴２６に螺合させることによって、底板部材１６と支柱部材１４とを互いに固定することができる。ネジ２８の頭は、底板貫通孔２４の途中に設けられた段部に入り込み、底板部材１６の下面から突出しない。
【００１７】
スピーカ台１０は、図３に示す組み立て状態のスタンド台と、付属部品である支持部材１４(2)，１４(3)とをセットにして販売される。あるいは、上記の各パーツが分解された状態でスピーカ台キットとして販売され、使用者によってスピーカ台に組み立てられる。
【００１８】
使用者が、スピーカ台１０を組み立てる時は、複数種類の支柱部材１４(1)〜１４(3)の中から適宜のもの（例えば支柱部材１４(1)）を選択し、天板側及び底板側取り付け機構ＴＫ，ＳＫを介して天板部材１２及び底板部材１６に組み付けて、スピーカ台１０を組み立てる。そして、スピーカ台１０にスピーカをセットして音楽等を試聴し、好みの音質が得られない時は、支柱部材を別の支柱部材（例えば支柱部材１４(2)）に交換する。このとき、６本の支柱部材を全部交換してもよいし、一部だけを交換してもよい。そして、好みの音質が得られると組み立てが終了する。
【００１９】
組み立てられたスピーカ台１０は、例えばクラシックの時に好みの音質が得られたとしても、異なるジャンルの音楽（例えば、ジャズ、ロック、歌謡曲等）の時は好みの音質が得られないケースがあるので、気になる使用者は、音楽のジャンルに合わせて支柱部材１４を交換するとよい。また、オーディオ機器を買い替えた時、家具の配置や床材や壁材を変更した時、大きさが異なる部屋に引っ越した時などにも音質が変化するので、気になる使用者は、使用環境に合わせてスピーカ台１０の設定を変更するとよい。
【００２０】
以上説明したように、スピーカ台１０によれば、支柱部材１４として、振動に対する弾性又は振動減衰性が異なる複数種類が用意され、自分の好みの音質が得られるように、使用者自身が支柱部材１４の種類を選択し、容易に交換することができる。
【００２１】
なお、本発明のスピーカ台は、上記実施形態に限定されるものではない。例えば、天板部材及び底板部材の形状は、円形、楕円形、多角形等の正方形以外の形状にしてもよく、天板部材１２，１６が有する透孔１２ａ，１６ａは省略してもよい。また、天板部材及び底板部材は、アルミニウム製の板材が、比較的硬くて軽量であり好適であるが、アルミニウム以外の材質を用いてもよい。あるいは、支柱部材と同様に、振動に対する弾性又は振動減衰性が異なる複数種類の天板部材を用意し、使用者が選択できるようにしてもよい。
【００２２】
天板側及び底板側取り付け機構は、上記の天板側及び底板側取り付け機構ＴＫ，ＳＫ以外の構造に変更してもよい。上記の天板側取り付け機構ＴＫ，ＳＫは、組み立て状態の構造が安定に保持されるという特徴がある。しかし、天板部材１２と支柱部材１４とがネジ２２を介して一体に固定されるので、機械的共振のＱ値が高くなり、これを好ましいと感じない使用者がいるかもしれない。その場合、天板部材と支柱部材とが独立して変位できる構造（例えば、支柱部材の上端部に天板部材を載置することによって、横ずれしないように簡易的に位置決めされる構造）にすることによって、機械的共振の周波数が分散し、機械的共振のＱ値を低くすることができる。
【００２３】
支柱部材は、相手方の天板部材及び底板部材に対して組み付け可能であれば、種類ごとに形状（太さや長さ）が異なっていてもよい。また、上記のスピーカ台１０は、支柱部材６本を１組にして組み立てられる構造になっているが、支柱部材の強度が十分であればもっと少ない本数を１組にした構造にしてもよいし、反対に７本以上を１組にした構造にしてもよい。また、支柱部材の種類は、２種類以上であれば何種類でもよい。
【符号の説明】
【００２４】
１０  スピーカ台
１２  天板部材
１４，１４(1)〜１４(3)  支柱部材
１４ａ  上端部
１４ｂ  下端部
１６  底板部材
１８  天板貫通孔
２０  上ネジ穴
２２，２８  ネジ
２４  底板貫通孔
２６  下ネジ穴
ＳＫ  底板側取り付け機構
ＴＫ  天板側取り付け機構
【図１】
2020065128.tif 000003
【図２】
2020065128.tif 000004
【図３】
2020065128.tif 000005